(57)【要約】【課題】  血圧の調整。【解決手段】  本発明の血圧調整方法では、記憶領域から、身体器官の機能状態を示す波形を選択し、選択した波形を、身体に直接接触する治療部材へ伝送する。この治療部材は血圧を調整する波形を目標部位へ送信するものである。治療部材へ波形を伝導するために制御モジュールを設けている。この制御モジュールは、選択され、治療部材へ伝送される波形を格納する。コンピュータの記憶領域を、記憶容量の増大および波形処理のために設ける。
2005511163.tif 000002
【特許請求の範囲】
【請求項１】
血圧調整方法において、
(a)  身体内で発生させられ且つ上記身体内のニューロンによって搬送される複数の波形を示す１つもしくはそれ以上の波形を、蓄積領域から、選択し、
(b)  上記身体に接触する治療部材へ上記の選択した波形を伝送もしくは伝導し、
(c)  上記選択波形を上記治療部材から上記身体内の目標部位へ送信する、
ステップを含む血圧調整方法。
【請求項２】
上記ステップ(a)がコンピュータ内の記憶領域から上記波形を選択することをさらに含む、請求項１に記載の血圧調整方法。
【請求項３】
上記ステップ(ｂ)が上記選択波形を治療部材へ遠隔伝送することをさらに含む、請求項１に記載の血圧調整方法。
【請求項４】
上記ステップ(ｂ)が上記選択波形を振動伝導することをさらに含む、請求項１に記載の血圧調整方法。
【請求項５】
血圧調整装置において、
(a)  身体器官の機能を示す収集波形の供給源と、
(b)  上記身体に直接接触するように形成した治療部材と、
(c)  上記収集波形を上記治療部材へ伝送する手段と、
(d)  上記治療部材から上記身体器官へ上記収集波形を送信する手段と
を備えている血圧調整装置。
【請求項６】
上記伝送手段はデジタル・アナログ変換器である、請求項５に記載の血圧調整装置。
【請求項７】
上記収集波形供給源が、収集波形をデジタル形式で格納するコンピュータを備える、請求項５に記載の血圧調整装置。
【請求項８】
上記コンピュータが、収集波形に対して呼吸機能カテゴリー別の記憶領域を有する、請求項７に記載の血圧調整装置。
【請求項９】
上記治療部材が、呼吸信号を送信するアンテナを備える、請求項５に記載の血圧調整装置。
【請求項１０】
上記治療部材が電極を備える、請求項５に記載の血圧調整装置。
【発明の詳細な説明】
【技術分野】
【０００１】
本発明は、米国特許出願第６０／２５０，８８７号（２０００年１２月４日提出、発明の名称「電気的波形で血圧を調整する方法及び装置」）の本出願（非仮出願（non-provisional application））である。
【背景技術】
【０００２】
世界中で数億人が血圧障害に悩んでいる。米国における高血圧症（血圧が１４０／９０以上）患者は５千万人と推定される。この５千万人のうち、投薬、ダイエット、運動の組み合わせで血圧をコントロールしているのはわずか約２７％である。５５歳までの男女でみれば、高血圧症は男性が女性を上まわっている。しかしながら、５５歳を越えた男女では、女性患者数が男性患者数に追いついて、高血圧症患者の約７５％を女性が占めている。高血圧症は心臓、脳、腎臓および眼を損傷する危険因子である。血圧と関連する臓器は脳、内分泌腺、血管（動脈、静脈）および心臓である。
【０００３】
他方では低血圧症があり、これは相当数の人に様々な影響を及ぼしている。人にもよるが、心血管系が標準血圧より低い血圧になっているのにほとんど影響を受けない場合もある。こうした低血圧症の人々はその手足が冷たいことが多く、また通常血圧の人よりも活気に欠けることがある。ほとんどの人にとって、低血圧発作は、これを正常化しない場合、直ちに生命を脅かすことになりかねない。低血圧症は、脳への血流量が不十分になるために一般的な脆弱体質や失神の原因となる。また、急に起床したり、立ち上がったりすると低血圧がさらに進み、失神を結果することがある。したがって、低血圧症は初老年齢域の人には重要な危険因子である。また、低血圧症は特発性（原因不明）あるいは過剰な高血圧治療投薬の結果であるといえる。老齢域の人の場合に投薬量を忘れてしまうと次回の投与量が分からなくなることが多い。投薬量が２倍になると、高血圧症の過剰治療となり、深刻な低血圧合併症をひき起こすことがある。
【０００４】
血圧を上げるまたは下げる方法として多数の投薬が定期的かつ日常的に行われる。これらの投薬は、神経コントロール網の働きと密接に関係する内分泌コントロール分野に影響する。こうした投薬は、医学治療において確たる場所を占めてはいるが、常に所望結果の達成と副作用の最小限化との中間点にある。
【０００５】
血圧測定は動脈血流内に直接埋設した装置で行うが、検査はほとんどが非侵襲的である。こうした近代的検査方法では、血圧と脈拍の自動測定装置を指、手首または腕に巻き付ける。日常的血圧測定は、血圧計と呼ばれる装置のバンドを腕に巻き付け、これを膨張させて行うのが普通である。動脈を聴診する聴診器またはマイクロフォンを使用する。血圧計バンドの膨張を解除する際に最初に聴取されるひゅーひゅー音は最高血圧を示す。また、血圧計バンドをさらに膨張解除して血流音が聴取されなくなった時の血圧が最低血圧である。最高血圧は心臓が収縮して血液を全身に駆出する際に達する血圧である。また最低血圧というのは心臓の収縮と収縮との間に動脈壁に加わる残圧のことである。
【０００６】
動脈は大きな管状血管であり、心臓から血液を搬出するものである。こうした動脈は細動脈というさらに小さい血管に分岐し、細動脈は毛細血管という最も小さい血管へ血液を配送する。これらの毛細血管はすべての臓器に酸素と栄養分とを含む血液を供給する。動脈網自体は収縮または弛緩可能な筋肉である。一般に、動脈が収縮すると血圧は上昇し、また弛緩または拡張すると血圧は下降する。細動脈は、脳からの指令によって収縮、弛緩させられて血圧を変化させるとともに脈拍を変えることができる。
【０００７】
動脈血は高い圧力で脈動し、また、血液に赤色を与える酸素に富んでいる。酸素の減耗した血液を内容する静脈は色が青く、静脈血の圧力は低い。手の甲側および体表の反対側の静脈を流れる青い血液は目視可能である。
【０００８】
静脈系は低圧系の一部をなすものであって、血液タンクとして作用する。心血管系の静脈は、駆出血液が供給されたあらゆる箇所からその血液を集め、それを心臓へ還流させる。そして、心臓の右心房は血液を右心室へ圧送し、この右心室はさらにその血液を両肺へ送り、ここで二酸化炭素を酸素と交換する。こうして肺は酸素に富んだ血液を左心房へ供給して、血液は強力な左心室へ充填される。この左心室はさらにその血液を、全身に網羅する動脈、細動脈、毛細血管を通じて循環させるものである。
【０００９】
一般的な用語である「血圧」は循環器系における動脈血圧のことである。この血圧は、収縮期の最高血圧と拡張期の最低血圧との間で心拍毎に変動する。この幾何平均値は人間または動物の脈圧として知られる。
【００１０】
血圧は、身体器官の酸素要求量に応答して、所定の器官の活動に応じて常に変化する。こうした酸素供給は適正でなければならず、過剰であってもならない。酸素は心臓の駆出活動によって供給される。血管の拡張または収縮と組合わさった心臓の駆出レートとトーンとによって血圧がコントロールされる。ホルモンと神経伝達化学物質（neurotransmitter chemical）の作用と組合わさった脳の電気的信号によって心血管系の循環血圧が調整される。神経索軸のなかには、心臓の神経節細胞叢（neuoganglionic plexus）に流入する前にポストシナプス（post-synapse）に入る際に電位信号を微調整するプレシナプス（pre-synapse）と、血管の遠心神経付着部位（blood vessel efferent attachment points）とにおいて神経伝達化学物質を出すものがある。脳は、その電気的信号で、器官コントロールを指令するとともに内分泌器官に対してホルモン生成を信号指令する、両方の役割をもつ。これらの内分泌信号および神経信号は、すべての血圧調整要求に応じて応答を調整するようにそれら自体が可変である。つまり、内分泌信号および神経信号は、視床下部（内分泌腺）および髄橋（medullopontine）（神経切換え）が血圧微調整のための遠心神経信号を出すのに使用できる「脳格納プログラム」範囲内で無限に可変である。
【００１１】
動脈の筋肉によるコントロールは、脳が、状態に関する求心神経情報と各器官による圧迫の増減の要求とに基づいて行なわれる。また脳は、動脈の切断末端を圧縮して失血を低減させる。これは、脳信号による血管網活動に対するコントロールが有限であることを示す例である。神経索軸シナプスは、神経伝達化学物質をそれらのギャップへ導入して、目標器官に指令を与える前に伝搬中の電気的信号を変調させることができる。血圧調整の場合におけるこうした目標器官は心臓および血管である。
【００１２】
末梢神経系は中枢神経系へ身体および心血管系の状態に関する求心（入力）情報を伝えるものである。この場合、脳の役割はそうした求心データを格納情報と比較し、遠心神経インパルス信号に応答して心血管系（心臓と血管）のパフォーマンスを調整することである。
【００１３】
脳は、情報集積機能、器官統合機能および指令出力機能を備えた器官である。脊髄は脳の延長である。上行脳組織としては、延髄、これに髄橋（pons）、中脳、小脳と続き、最後に間脳があり、この間脳には視床下部と大脳半球とが位置している。最初の３組織は、脳幹を形成し、脳圧に対する処理／コントロール・センターとなっている。血圧コントロールにおける主役は髄橋（medullopontine）と視床下部である。
【００１４】
心血管血圧を調整する電気的作用は迷走神経束経由で髄橋（medullopontine）から来ることがすでに判明している。迷走神経束は、多数の器官まで長距離にわたって延びる求心神経および遠心神経を双方とも含む。髄橋（medullopontine) 領域は、その宿主たる身体に鋭く交感して、基本的な生命機能がそれらの本来の目的に合わせて行われることを可能ならしめる。脳をはじめとするすべての器官は、血流による連続的酸素輸送が目的体働（job）を果たすのに十分な速度と量とで行われることを必要とする。したがって、脳は、不十分なまたは時ならぬ（untimely）酸素供給で身体を損傷しないように心血管パフォーマンスを調整することを優先する。脳自体は他のすべての器官に比べて低酸素に対する感応性が高い。低酸素症とは、血流からの酸素の供給が不足する状態である。無酸素状態では脳細胞は数分で死に始め、１０分経過すると死亡は確実である。
【００１５】
脳の電気的信号は特定の波形で符号化されるが、その電気的信号は  神経軸索とエフェクター（effector）器官との接合部に位置するシナプス・ギャップにおいて変更される。この変更はいずれも、終末器官の局部事象によっても影響を受ける微調整プロセスである。シナプス・ギャップにおいて出される内分泌物や神経伝達化学物質によって、身体の酸素要求を満たすべく受信脳信号を変えることができる。多数の求心感覚部（sensors）からのフィードバックで、調整対象の器官に到着した時あるいはその到着前に遠心信号を変調するための、内分泌系からの情報と作用とが得られる。特定の目標器官に対する実際の指令（脳信号）はほとんど常時調整を要するが、これは生命維持（life continuum）のための酸素要求とそれら指令信号の変化し続ける達成度や環境圧力のためである。
【００１６】
血管は、正しい血流循環パフォーマンスをもたらすべく収縮または拡張する筋肉である。このパフォーマンスの一部として、心臓のコントロールも拍動数や心筋収縮トーンに関して調整される。パフォーマンス状態に関する、脳に送られる情報をもたらすのは身体全体に網羅された求心感覚部（sensors）である。こうした求心感覚部（sensors）は微細な低電圧情報信号を脳へ与える化学的、機械的、熱式および圧力式受容器（receptor）でもよい。かかる信号は、心血管系およびその他の部位内に設けた聴覚または視覚求心感覚部又は内部感覚部で得られるように身体外部からのものでもよい。脳の髄橋（medullopontine）領域内で行われる計算によって、求心感覚部で情報を検討した後で「最尤度の」出力遠心信号指令がされる。これは連続した心血管調整プロセスとして生きている限り行われる。脳からの電気的信号に加えて、神経シナプスまたは内分泌系において生成される神経伝達ホルモンによっても血圧が調整される。
【００１７】
心臓が収縮して血液を駆出する（収縮期）と、動脈は伸長して位置エネルギーを蓄積する。心臓が弛緩（拡張）すると、動脈は反跳し、血流を維持する。これを称して「ウインドケッセル（windkessel）」効果というが、これによって酸素と栄養分とを心拍と心拍との間に身体のすべての部分へ供給するための連続循環が確保される。
【００１８】
心血管循環系を調整することによって、静止時のみならず極端に激しい運動または危険な状況においても全身に十分な血流を供給することができる。この心血管循環系は危険臓器へ血流を再配分することができ、あるいは少血流でも当面生存可能な器官に対してはその再配分を行わないこともできる。例えば、消化では大量の血流が胃腸系へ供給される。しかし、緊急時には消化そのものが中止されて血液が脳または筋肉へ再び送られる。その緊急状態が終わると、血流は消化作業へ戻される。
【００１９】
各器官への血流の調整は主として、血管腔（内腔）の直径を変えることで行われる。血管腔は必要に応じて徐々に収縮または拡張させられる。この血管腔コントロールは化学効果や脳からの神経指令によって行われる。血管は平滑筋から形成されており、収縮と弛緩との間で連続的状態変化する電気的活性をもった細胞を含んでいる。血管の神経コントロールは少数の例外はあるが自律神経系の交感神経によって行われる。自律神経の調整は個体が意識的に与るところではない。視床を含む間脳は、眼、耳および皮膚さらには脳のその他の部位からの感覚的入力に対する重要な切換点となっている。間脳はまた視床下部を包囲しており、この視床下部は神経系及び内分泌系の統合に重要な役割を果たすものである。血圧改善のための近代の経口および注射投薬は内分泌腺を通じて大きく機能する。神経パフォーマンスには血圧のバランスをとる心血管投薬の存在が折り込まれている。
【００２０】
循環系の中央コントロールを行うのは脳の髄橋（medullopontine）領域である。この髄橋領域は、そのコントロール網が心血管系ばかりでなく呼吸機能系や消化機能系にも行き渡っているので脳の枢要部分となっている。また、この髄橋領域は、脊柱上部に位置して、延髄やその直上の橋組織から形成されている。これらの特定組織は、出血、身体的損害または悪性腫瘍が危険経路を横断していなければほとんど誤動作しない。人体または動物身体の生命維持コントロールのほとんどは、間脳から出る迷走神経（tenth cranial）経由で行われる。この迷走神経は実際には求心ニューロンと遠心ニューロンとの長い束であって、このニューロン束は身体内部全体にわたってほとんどの器官へ走行している。迷走神経は延髄の各側から出て、同一目標器官へ様々なルートで走行している。延髄又は頸部のレベルでの麻痺または２本の迷走神経の断裂で急死に至る。頸部レベルで迷走神経が１本でも断裂すると生命現象が損なわれ、担当医師は確かに生命維持に手を尽くすことになるが、患者生命が失われることもあり得る。
【００２１】
動脈高血圧のコートロールでは、大動脈や頸動脈からの伸長受容器求心神経や圧力受容器求心神経から重要情報が得られる。低血圧静脈系では、大静脈内、心房および左心室内にある伸長受容器その他の受容器から血圧脈拍数や脳の髄橋への充填圧力のデータが得られる。心血管系へ戻る遠心神経信号に算入する（compute into）求心感覚データは延髄およびそのオリーブ（olive）の各路核において処理される。新到着の求心データの変更点は既存の遠心コートロール出力と比較され、調整補正応答が導出されて心臓と血管とへ送られる。
【００２２】
血圧調整の重要部分として、副腎髄質を感応させて血圧コントロールのためのホルモンの化学的信号を発生させることが必要である。副腎髄質は神経内分泌変換器細胞であって、この細胞においては節前交感神経繊維からの電気的インパルスがホルモン信号に変換される。この電気的信号に応答して発生する主要ホルモンはエピネフリンまたはアドレナリン、ノルエピネフィリンおよびノルアドレナリンである。こうしたホルモンは血流内へ放出されるもので、カテコールアミンと総称される。視床下部は主要な脳中枢であって、精神的または肉体的ストレスに対する副腎覇応答を電気的に調整するものである。
【００２３】
副腎髄質は通常、より多量のカテコールアミンが放出される肉体的または心理的ストレスの状況を除いた低レベルの活動時に機能する。かかるカテコールアミンは節後シナプス神経終端および脳のいくつかのシナプス・ギャップ、特に視床下部において重要な役割を果たす。一般に、副腎髄質が電気的に刺激されてストレスに応答してホルモンを生成すると、それらホルモンはかなりの時間（約４時間）に渡って循環し、血圧を上昇させる主要な原因となる。
【００２４】
脳内にある視床下部は内分泌系に対してかなりの影響を与えるものであって、血流中へ急速に入って行くように門脈内へホルモンを分泌できる下垂体と密接に接続されている。電気的求心信号は内分泌系内へのホルモン放出を開始するのに重要な役割を果たす。求心神経が視床下部に対して精神的あるいは肉体的ストレスが低減したことを信号すると、カテコールアミンはその刺激が低下して通常機能へ戻る。したがって、指令取消信号を求心神経に送信し、自律調整要因にトリックをかけて血圧を変えることができる。
【発明の開示】
【課題を解決するための手段】
【００２５】
本発明は血圧調整方法を提供するものである。この方法においては、発生させて体内搬送する波形を示す蓄積された波形を記憶領域から選択する。選択した波形を、身体に直接接触する治療部材へ伝送する。そして、その治療部材は選択波形を身体の器官へ送信する。
【００２６】
波形は、科学コンピュータ等のコンピュータ内の記憶領域から選択してもよい。選択波形の伝送は、遠隔伝送あるいは制御モジュールに接続させた治療部材で行うことができる。この伝送は振動的（seismic）方法、電子的方法あるいはその他の適当な方法で行える。
【００２７】
また、本発明は血圧調整装置も提供する。この血圧調整装置は、身体器官の機能を示す収集波形の供給源と、身体に直接接触するように形成した治療部材と、収集波形を治療部材へ伝送する手段と、治療部材から身体器官へ収集波形を送信する手段とを備えている。
【００２８】
上記伝送手段はデジタル・アナログ変換器でもよい。収集波形供給源は好ましくは、収集波形をデジタル形式で格納するコンピュータを含む。そのコンピュータは、収集波形に対してカテゴリー別の記憶領域を有するものでよい。
【００２９】
上記治療部材は、アンテナまたは電極、あるいは１つもしくはそれ以上の波形を身体器官へ送信するその他の手段を含むものでよい。
【発明を実施するための最良の形態】
【００３０】
以下、本発明をその実施例に関して、添付図面にしたがってさらに詳細に説明する。
【００３１】
本発明の原理についてのより良い理解のために、図示した実施例に関連して本発明を説明する。なお、本発明は以下に図示、説明する実施例のみに限定されるものではなく、本発明の方法および装置の両方とも本発明の要旨を逸脱しない範囲で種々の変更、改変が可能である。
【００３２】
血圧を迅速調整する電気的方法が要求されている。さらには、長期にわたって患者に役立つ埋め込み形心臓ペースメーカーと同様に、血圧を長期にわたって調整する埋め込み形電気的装置に対する需要もある。本発明は、脳へ（求心感覚神経を通じて）行き、また脳からの神経へ（遠心神経を通じて）行く信号を変調する電気的方法を提供するものである。それらの電気的信号の一部はアンテナまたは接続部で伝送されて、心臓や、髄橋脳幹領域からの血管への遠心信号を変調する。他方の電気的信号は視床下部へ送られ、血圧に対するホルモンの効果に影響を及ぼす。本発明の装置は重篤の高血圧症または低血圧症を治療する緊急室において使用される。埋め込み式装置として、本発明の装置は、血圧調整には他に選ぶところのない特別の患者に治療を施すものである。
【００３３】
ここで開示する本発明の装置は波形受信器／発信器を備え、この波形受信器／発信器は神経信号を処理して現状を明確にし、新しい信号を発信して患者の血圧値を変える。本発明の装置は血圧調整に関連する内分泌入力と神経信号とを双方変調することができる。また、本発明の装置は初期的には既存の投薬と組み合わせて用いられるが、すでに処方されている投薬を治療様式として減らすあるいは行わなくてよくなる程度まで基本血圧レベルをリセットすることができる。
【００３４】
本発明は血圧調整方法および装置の双方に係る。電気的信号によって血圧を調整する装置の１実施例を図１に示す。この装置１０は少なくとも１つの治療部材（トリートメント  デバイス）１２と、制御モジュール１４とを備える。本発明の装置については米国特許出願第＿＿＿＿＿＿＿＿＿（２００１年１１月２７日出願；発明の名称「電気的神経受容波形による喘息および呼吸器疾患の治療方法（Treatment of Asthma and Respiratory Disease by Means of Electrical Neuro-Receptive Waveforms）」に詳述されており、この米国特許出願の開示内容は本発明にリファレンスとして含まれる。
【００３５】
図２に示しまた上記米国特許出願明細書に詳述する、上記装置１０の別実施例においては、制御モジュール１４’と治療部材（トリートメント  デバイス）１２’とが接続される。図２においては、図１と同様の部材については図１に使用する参照番号と同じものを使用する。さらに、図２は別実施例としての装置１０’を示しており、この装置１０’はコンピュータ２０と接続されており、このコンピュータは波形信号に対するより大きな格納容量を有する。コンピュータ２０は、複雑で、各器官に固有の、またその器官の関数である独特な波形信号を格納するのに使用する。
【００３６】
本発明はさらに、上記装置１０（１０’）を用いて電気的波形で血圧調整を行う方法（図３のフローチャートに示す）も提供する。この方法はステップ３０から開始して、このステップ３０では、図４に示すように治療部材１２（１２‘）を目標部位４０に置く。その目標部位４０には顎４４と耳４２と鎖骨切痕とを結んでできる角度の範囲内の、頸動脈小体と頸動脈洞とを中心とする領域が含まれ、この領域内で胸骨４８が鎖骨４６に交わる。治療部材１２（１２’）を目標部位４０に置いたら、ステップ３２で、１つもしくはそれ以上の蓄積波形信号を収集波形信号メニューから選ぶ。
【００３７】
上記波形信号とそれらの生成とについては米国特許出願第＿＿＿＿＿＿＿＿＿（２００１年１１月２０日出願；発明の名称「身体器官の働きを調整する特定脳波を記録、格納かつ送信する装置及び方法（Device and Method to Record, Store and Broadcast Specific Brain Waveforms to Modulate Body Organ Functioning）」に詳述されており、この米国特許出願の開示内容は本発明にリファレンスとして含まれる。上記米国特許出願には、人間および動物の血圧をコントロールする場合にも使用できる波形の代表的なものを開示している。上記の仮米国特許出願に開示する上記波形およびそれら波形の部分を組み合わせたものは脳の髄橋部位から出ている神経回路で作用する種類の信号を示している。かかる波形は血圧コントロールまたは微調整の役割を果たす求心または遠心神経をどちらか調整するのに使用できる。上記波形信号は、上記の米国特許出願に詳述する、血圧調整のために脳幹組織が自然発生させるものと類似している。
【００３８】
選択した波形信号は、身体の血圧を調整する特定機能を実行するようにステップ３４において調整してもよい。実際の波形調整については本発明の記述に含めない。つまり、波形信号の調整が必要でないと判断すれば、ステップ３４をスキップして直接ステップ３６に進む。ステップ３６では、波形信号を装置１０（１０’）の治療部材１２（１２’）へ伝送（トランスミット）する。
【００３９】
波形信号を受信すると、治療部材１２（１２’）はステップ３８でそれら波形信号を目標部位４０へ送信（ブロードキャスト）する。この治療部材１２（１２’）は従来形のもの、あるいは独特な波形信号を伝送するように特別に開発したものでもよい。装置１０（１０’）は、目標部位４０へ電気的信号を伝導または送信することよって血圧を調整するのに適正な波形信号を使用する。
【００４０】
本発明の１実施例において、治療部材１２（１２’）からの送信は皮膚を侵襲することなくその皮膚を通じて目標部位４０へ直接に伝導または伝送することによって行う。目標部位４０は信号を加える神経または神経叢に近い位置に隣接することになる。信号を目標神経へ搬送するために、治療部材１２（１２’）を目標部位４０内の皮膚に接触させる。
【００４１】
本発明の別実施例においては、波形送信は、目標神経または神経叢へ電極を装着することによって直接伝導することによって行う。この方法では、選んだ目標神経に電極を物理的に装着するために必要に応じて外科的インターベンションを行わねばならない。
【００４２】
また本発明のさらに別の実施例においては、波形の送信は、波形を振動（seismic）に変え、目標「神経」がそうした振動信号の符号化指令を受けかつそれに従うことができるように目標部位４０へ上記振動波形を送り込むことによって行う。治療部材１２（１２’）を、皮膚を侵襲することなくその皮膚に対して押し当てる。この場合、電極用伝導ゲルまたはペーストを使用して伝導を容易にする。
【００４３】
以上、本発明の実施例を図示、説明した。しかし、これらの特定製品、またその製造方法は、限定的なものではなく単に説明の便宜上例示したものであって、本発明は請求の範囲における記載から解釈さるべきである。
【図面の簡単な説明】
【００４４】
【図１】本発明の方法を実施する装置の一実施例の概略図である。
【図２】本発明の方法を実施する装置の別実施例の概略図である。
【図３】本発明の方法のフローチャートである。
【図４】本発明によって処理される目標領域の概略図である。
【図１】
2005511163.tif 000003
【図２】
2005511163.tif 000004
【図３】
2005511163.tif 000005
【図４】
2005511163.tif 000006
【手続補正書】
【提出日】平成16年8月23日(2004.8.23)
【手続補正１】
【補正対象書類名】明細書
【補正対象項目名】００３４
【補正方法】変更
【補正の内容】
【００３４】
本発明は血圧調整方法および装置の双方に係る。電気的信号によって血圧を調整する装置の１実施例を図１に示す。この装置１０は少なくとも１つの治療部材（トリートメント  デバイス）１２と、制御モジュール１４とを備える。本発明の装置については米国特許出願第０９／９９５，１９４（２００１年１１月２７日出願；発明の名称「電気的神経受容波形による喘息および呼吸器疾患の治療方法（Treatment of Asthma and Respiratory Disease by Means of Electrical Neuro-Receptive Waveforms）」に詳述されており、この米国特許出願の開示内容は本発明にリファレンスとして含まれる。
【手続補正２】
【補正対象書類名】明細書
【補正対象項目名】００３７
【補正方法】変更
【補正の内容】
【００３７】
上記波形信号とそれらの生成とについては米国特許出願第１０／０００，００５（２００１年１１月２０日出願；発明の名称「身体器官の働きを調整する特定脳波を記録、格納かつ送信する装置及び方法（Device and Method to Record, Store and Broadcast Specific Brain Waveforms to Modulate Body Organ Functioning）」に詳述されており、この米国特許出願の開示内容は本発明にリファレンスとして含まれる。上記米国特許出願には、人間および動物の血圧をコントロールする場合にも使用できる波形の代表的なものを開示している。上記の仮米国特許出願に開示する上記波形およびそれら波形の部分を組み合わせたものは脳の髄橋部位から出ている神経回路で作用する種類の信号を示している。かかる波形は血圧コントロールまたは微調整の役割を果たす求心または遠心神経をどちらか調整するのに使用できる。上記波形信号は、上記の米国特許出願に詳述する、血圧調整のために脳幹組織が自然発生させるものと類似している。
【国際調査報告】
2005511163.tif 000007